(57)【要約】      （修正有）【課題】電力変換部と制御回路基板との間に接続されるケーブルの損傷を防ぐことを目的とする。また、回路基板取付シャーシの機能低下を防ぐことを目的とする。【解決手段】直流電力を交流電力に変換する複数のスイッチ素子２４を含む電力変換部１と、複数のスイッチ素子２４の動作を制御する制御回路１４と、電力変換部１と制御回路１４との間に介在し端部が電力変換部側に向かって突出するように構成された部分を含む金属性の板部材１６と、この板部材の部分を経由して複数のスイッチ素子２４と制御回路１４とを接続するケーブルとを備え、複数のスイッチ素子２４と板部材１６とを共通の接地電位につなげるものであり、ケーブルの損傷を防ぐことができる。また、ケーブルを引き回すためにわざわざ取付面１６ｂを切欠いたりする必要がないので、回路基板取付用シャーシ１６の機能低下を防ぐことができる。【選択図】図２
2014072926.tif 000002
【特許請求の範囲】
【請求項１】
直流電力を交流電力に変換する複数のスイッチ素子を含む電力変換部と、
前記複数のスイッチ素子の動作を制御する制御回路と、
前記電力変換部と前記制御回路との間に介在し端部が前記電力変換部側に向かって突出
するように構成された部分を含む金属性の板部材と、
前記板部材の前記部分を経由して前記複数のスイッチ素子と制御回路とを接続するケー
ブルとを備え、
前記複数のスイッチ素子と前記板部材とを共通の接地電位につなげることを特徴とする
電気機器。
【請求項２】
前記板部材は前記制御回路側の第１板材部と前記電力変換部側に向かって突出するよう
に構成された前記部分を含む前記電力変換部側の第２板材部とを含み、第１板材部と第２
板材部とは段差状であることを特徴する請求項１に記載の電気機器。
【請求項３】
前記ケーブルの一端は前記第２板材部近傍で前記制御回路にコネクタを介して接続され
ることを特徴とする請求項３に記載の電気機器。
【請求項４】
前記直流電力は太陽電池や蓄電池等から供給される電力であり、前記電力変換部の出力
する交流電力は電力系統へ重畳されることを特徴とする請求項３に記載の電気機器。
【請求項５】
前記直流電力は電力系統の交流電力を整流した電力や蓄電池等から供給される電力であ
り、前記電力変換部の出力はブラシレス電動機または誘導電動機の駆動に用いられること
を特徴とする請求項３に記載の電気機器。
【発明の詳細な説明】
【技術分野】
【０００１】
本発明は、入力電力を交流電力に変換するものに関する。
【０００２】
太陽電池、燃料電池、あるいは蓄電池などから出力される直流電力を入力し、この電力
を交流電力（例えば、商用電力系統と同期する交流電力）に変換して供給する電力変換装
置と称する電気機器が提供されている。また、この直流電力を所望の周波数の交流電力に
変換して誘導電動機の駆動に用いるものや、回転子の回転位置に合わせて固定子巻き線へ
の通電タイミングを切り換えてブラシレス電動機を駆動するものも提供されている。
【０００３】
この様な電力変換装置として、例えば、特許文献１に記載されているものが知られてい
る。この特許文献１には、インバータ装置や電解コンデンサ等の発熱する電子部品が実装
されているメイン基板と、インバータ装置のスイッチング素子の制御等を行う制御信号を
発するサブ基板と、メイン基板とサブ基板との間に位置するサブ基板の取付金具と、を備
えた電力変換装置が記載されている。
【先行技術文献】
【特許文献】
【０００４】
【特許文献１】特開２００３−１９９３６０号公報
【発明の概要】
【発明が解決しようとする課題】
【０００５】
このサブ基板の取付金具（回路基板取付シャーシ）は、サブ基板（制御回路基板）が取
り付けられるとともにメイン基板の熱やノイズからこの制御回路基板を保護する役目も担
っている。
【０００６】
ところで、回路基板取付シャーシがこのような機能を奏するには、制御回路基板をメイ
ン基板からできるだけ離す必要がある。そのため、メイン基板と制御回路基板との距離を
大きくすると、限られた筐体内では、制御回路基板の前方側（メイン基板側とは反対側）
の空間が狭くなってしまう。
【０００７】
このような状況で、制御回路基板とメイン基板との間をつなぐケーブルは、制御回路基
板と制御回路基板の前方側の部材、例えばフロントパネル、との間に挟まれ破損や断線が
生じるおそれがある。
【０００８】
また、特許文献１の図７に示されているように、サブ基板の取付金具を構成する平面形
状のベース面を切欠きこの切欠きを介してケーブルを引き回すと、この切欠きによって、
上記した回路基板取付シャーシのシールド機能や遮熱機能が低下してしまうことがる。
【０００９】
そこで、本発明は、回路基板取付シャーシの機能低下を抑制して、メイン基板等からな
る電力変換部と制御回路とをつなぐケーブルの破損を抑制することを目的とする。
【課題を解決するための手段】
【００１０】
上記目的を達成するため本発明の電気機器は、直流電力を交流電力に変換する複数のス
イッチ素子を含む電力変換部と、前記複数のスイッチ素子の動作を制御する制御回路と、
前記電力変換部と前記制御回路との間に介在し端部が前記電力変換部側に向かって突出す
るように構成された部分を含む金属性の板部材と、前記板部材の前記部分を経由して前記
複数のスイッチ素子と制御回路とを接続するケーブルとを備え、前記複数のスイッチ素子
と前記板部材とを共通の接地電位につなげることを特徴とする。
【発明の効果】
【００１１】
本発明によれば、電力変換部と制御回路基板との接続に用いるケーブルの損傷を抑制す
ることができる。
【図面の簡単な説明】
【００１２】
【図１】実施形態の電力変換装置の外観斜視図である。
【図２】実施形態の電力変換装置の分解斜視図である。
【図３】実施形態の電力変換装置の回路図である。
【図４】実施形態の電力変換装置の回路構成図である。
【図５】図１の電力変換装置から表面パネルを外した外観斜視図である。
【図６】図５の電力変換装置から前面シールドカバーを外した外観斜視図である。
【図７】図６の電力変換装置の平面図である。
【発明を実施するための形態】
【００１３】
以下に本発明の実施形態を、図面を用いて説明する。ただし、以下に示す各実施形態は
、本発明の技術思想を理解するための電気機器を例示するものであって、本発明をこの電
気機器に特定することを意図するものではなく、本発明の電気機器は特許請求の範囲に示
した技術思想をもちいた種々のものにも適用し得るものである。
【００１４】
電気機器の実施形態として直流電力を交流電力へ変換する電力変換装置の構成を図１及
び図２を用いて説明する。電力変換装置１は、表面パネル２、背面パネル３、上面パネル
４、下面主パネル５、下面補助パネル６、右側面パネル７及び左側面パネル８を含む略直
方体状の筐体を有している。なお、この電力変換装置１は、表面パネル２側が前面となる
ように、背面パネル３が壁面（図示省略）に取り付けられている。また、各パネルは設計
に合わせて適選一体化することができる。
【００１５】
表面パネル２は、金属製又はプラスチック製が可能であり、表示部９が全面から露出す
るように開口１０が設けられている。上面パネル４、下面主パネル５、下面補助パネル６
、右側面パネル７及び左側面パネル８が枠体を構成し、この枠体に表面パネル２は取り付
け及び取り外しが可能なように取り付けられている。また、この枠体は金属製であり金属
製の背面パネル３に電気的に同電位になるようにネジ止めや溶接等によって取り付けられ
ている。
【００１６】
そして、下面主パネル５には通気孔５ａ及び通気スリット５ｂが設けられており、夫々
上面パネル４の通気孔４ａ及び通気スリット（図示省略）に対応して冷却空気の流れを作
っている。両通気スリット間には、ヒートシンク２１が配置されこのヒートシンク２１の
フィン２１ａの間を通気スリット５ｂから入った空気が上面パネル４の通気スリットへ向
かって流れるようにしている。このヒートシンク２１はアルミ製であり背面パネル３にネ
ジ止めされることによって背面パネル３と同電位、すなわち同じ接地電位となっている。
なお、右側面パネル７には、適宜電源スイッチ７ｂやＡＣコンセント７ｃ等を設けること
ができる。
【００１７】
筺体には、メイン基板２０、サブ基板２６、第１制御回路基板１４及び第２制御回路基
板１５など複数の基板が収容される。
【００１８】
メイン基板２０は、直流電力を交流電力に変換する動作を行うための基板であり電力変
換部を含むものである。このメイン基板２０は、直流用リアクトルＤＣＬ、交流用リアク
トルＡＣＬ、スイッチ素子モジュール２４等と接続されて、ＤＣ／ＤＣコンバータ回路３
６やＤＣ／ＡＣインバータ回路３７（電力変換部）を構成する。尚、ＤＣ／ＤＣコンバー
タ回路３６やＤＣ／ＡＣインバータ回路３７については後述する。
【００１９】
図２に示すように、メイン基板２０は、ヒートシンク２１上に複数の金属製のサポート
２３（スペーサ）を介して取り付けられている。従って、メイン基板２０の接地電位はこ
のサポート２３及びヒートシンク２１を介して背面パネル３と同電位となっている。
【００２０】
スイッチ素子モジュール２４は、スイッチ素子固定用ホルダ２５に複数のスイッチ素子
を内蔵して成る。スイッチ素子固定用ホルダ２５をメイン基板２０の孔２０ｃを介してヒ
ートシンク２１上に固定することにより、スイッチ素子のヒートシンク２１への放熱を可
能にしている。またスイッチ素子モジュール２４の接地点Ｃ（後記）はメイン基板２０の
接地電位に繋がっており、背面パネル３と同電位である。
【００２１】
また、メイン基板２０の左側面パネル８側には、直流用リアクトルＤＣＬと、交流用リ
アクトルＡＣＬとが並んで配置されている。さらに、メイン基板２０の右側面パネル７側
にはサブ基板２６が配置されており、このサブ基板２６にはメイン基板２０からの交流出
力と系統との間の電気的接続及び遮断を行う連系リレーＲＬＹが４個設けられている。こ
のサブ基板２６も、サポート（図示省略）によって、背面パネル３に取り付けられている
。
【００２２】
また、４個の連系リレーＲＬＹが実装されているサブ基板２６の上方（表面パネル２側
）の右側面パネル７の内側に、直流開閉器６０が取り付けられている。そして、直流開閉
器６０の上方（表面パネル２側）には通信用の基板を収納した箱状の通信モジュール７０
が支持部７ｃと上面パネル４との間で固定されている。この通信モジュール７０は、別の
電力変換装置との間で通信を行うためのモジュールである。
【００２３】
第２制御回路基板１５は、ＤＣ／ＤＣコンバータ３６や、ＤＣ／ＡＣインバータに入力
、或いは出力される電流及び電圧、メイン基板２０内の所定箇所の電流及び電圧など、適
宜電流センサや電圧センサにより検出される電流及び電圧を入力し信号に変換して第１制
御回路基板（制御回路が実装された基板）１４へ送る。第１制御回路基板１４は第２制御
回路基板１５と信号線を介して少なくとも接地電位を共有して接続され、第２制御回路基
板１５で検出された電流及び電圧の値に基づいてメイン基板２０やサブ基板２６の制御を
行う。また、第１制御回路基板１４には、第１制御回路基板１４と第２制御回路基板１５
との動作を設定するための複数の設定スイッチ１１、及び各種の設定スイッチ１１のそれ
ぞれの設定に基づく状態を表示する表示部が備えられている。第１制御回路基板１４、及
び第２制御回路基板１５は、電力変換部の制御を行うための制御回路を含む。
【００２４】
第１制御回路基板１４及び第２制御回路基板１５は、段差状に形成された回路基板取り
付け用シャーシ１６(板部材)上に金属製のサポート（図示せず）を介して接地電位が回路
基板取り付け用シャーシ１６と同電位になるように取り付けられている。この回路基板取
り付け用シャーシ１６は、メイン基板２０の上方（表面パネル２側）に配置され、上面パ
ネル４側及び下面主パネル５側がそれぞれ上面パネル４及び下面主パネル５にネジ止めさ
れ、この両パネルを介して背面パネル３と同電位（接地電位）となっている。回路基板取
り付け用シャーシ１６の段差はメイン基板２０のコンデンサ部分と他の部材との高さの相
違に合わせて折り曲げている。
【００２５】
また、複数の設定スイッチ１１及び表示部９が露出するように第１制御回路基板、１４
第２制御回路基板、及び電力変換部を覆い、かつ表面パネル２により覆われる前面シール
ドカバー１２（カバー）が設けられている。この前面シールドカバー１２は、鉄板等の導
電性を有する金属であり、枠体に適宜ネジ止めされている。この前面シールドカバー１２
は、第１制御回路基板１４及び第２制御回路基板１５との間に所定間隔を維持して取り付
けられ、電磁ノイズの影響を受け難くするシールドの機能を有している。
【００２６】
第１制御回路基板１４及び第２制御回路基板１５と、前面シールドカバー１２との間に
は絶縁シート１３が配置されている。この絶縁シート１３は、第１制御回路基板１４の表
示部９及び各種の設定スイッチ１１が露出するようにして第１制御回路基板１４及び第２
制御回路基板１５の表面を覆うように配置されている。また、絶縁シート１３の上面パネ
ル４側は、上面パネル４に固定されており、下面主パネル５側はフリーな状態とされてい
る。この絶縁シート１３は、表面パネル２と第１制御回路基板１４、或いは第２制御回路
基板１５とが短絡しないようにするために設けられている。
【００２７】
また、下面補助パネル６には、直流入力端子及び交流出力端子を有する端子台１７が配
置されている。端子台１７は、背面パネル３に取り付けられた端子台保持板１８と右側面
パネル７との間に固定されている。この端子台１７には、背面パネル３に形成された切り
欠き３ａを通して電力変換装置１の内部に導入されるＤＣ入力配線やＡＣ出力配線（何れ
も図示省略）が接続されるようになっている。尚、ＤＣ入力配線やＡＣ出力配線は、下面
補助パネル６に開口を設けてこの開口を通して端子台１７に接続するようにしても良い。
【００２８】
次に、電力変換部の主な回路構成について、図３及び図４を用いて説明する。電力変換
装置１は、ノイズを減衰する第１のノイズフィルタ回路ＣＭＦ１、第２のノイズフィルタ
回路ＣＭＦ２を有する。また、電力変換装置１は、太陽電池モジュール３０から供給され
る直流の入力電力を昇圧するＤＣ／ＤＣコンバータ回路３６、及び御ＤＣ／ＤＣコンバー
タ回路３６が昇圧した直流電力を交流電力に変換するＤＣ／ＡＣインバータ回路３７を備
える。これらの第１のノイズフィルタ回路ＣＭＦ１、第２のノイズフィルタ回路ＣＭＦ２
、ＤＣ／ＤＣコンバータ回路３６、及びＤＣ／ＡＣインバータ回路３７は主にメイン基板
２０上に含めることができる。
【００２９】
ここで、スイッチ素子モジュール２４は、それぞれトランジスタ及び還流ダイオードの
並列回路を直列接続した第１〜第３のアーム回路を３つ並列に接続したものであり、ノイ
ズフィルタ回路ＣＭＦ１の側のアーム回路の正極側の還流ダイオードと負極側のトランジ
スタと直流用リアクトルＤＣＬと平滑コンデンサＣＯＮとを用いてＤＣ／ＤＣコンバータ
３６を構成し、残りの２つのアーム回路を用いてインバータ回路３７用を構成している。
【００３０】
直流用リアクトルＤＣＬの入力側は第１のノイズフィルタ回路ＣＭＦ１を介して太陽電
池モジュール３０の正極に接続され、出力側はアーム回路の入力側Ａ点（アーム回路の２
つのスイッチ素子の接続点）に接続される。また、アーム回路の両端Ｂ点、Ｃ点を平滑コ
ンデンサＣＯＮに並列に接続されていると共に、このＢ点Ｃ点をＤＣ／ＡＣインバータ回
路３７の入力側（直流側）に接続されている。また、ＤＣ／ＡＣインバータ回路３７の出
力点Ｄ点及びＥ点（交流側）はそれぞれ交流用リアクトルＡＣＬに接続されている。
【００３１】
直流用リアクトルＤＣＬ及び交流用リアクトルＡＣＬは、周波数５０Ｈｚないし６０Ｈ
ｚの周波数に対するリアクタンスが大きいものが要求され、サイズが大きく、重くなる。
本実施形態のような家庭用の電力変換装置１（出力が４Ｋｗ〜６Ｋｗ程度）の場合でも、
それぞれ２〜３ｋｇ程度の重量を有している。同様に平滑コンデンサＣＯＮも大容量が必
要である。
【００３２】
この様にすることで、太陽電池モジュール３０からの直流電力は、図示しない２本のＤ
Ｃ入力配線を介して端子台１７の直流入力端子１７ａ、１７ｂに入力される。また、直流
入力端子１７ａ、１７ｂに入力された直流電力は、直流開閉器６０及びリード線１９ａ、
１９ｂを介してメイン基板２０の入力端子２０ａ、２０ｂに入力される。
【００３３】
メイン基板２０に入力された直流電力は、ノイズフィルタ回路ＣＭＦ１を介してＤＣ／
ＤＣコンバータ回路３６に入力され昇圧される。そして、昇圧された直流電力はＤＣ／Ａ
Ｃインバータ回路３７により直流電力から商用電力系統８０と同期する交流電力に変換さ
れ、ノイズフィルタ回路ＣＭＦ２を介してサブ基板２６へ出力される。サブ基板２６は、
メイン基板２０から出力された交流電力をリレーＲＬＹ１〜ＲＬＹ４を介して端子台１７
の交流出力端子１７ｃ〜１７ｅへ出力する。交流出力端子１７ｃ〜１７ｅに出力された交
流電力はＡＣ出力配線を通って商用電力系統８０へ重畳されて商用電力系統８０に接続さ
れる負荷へ供給される。
【００３４】
電力変換部を構成するこれらのＤＣ／ＤＣコンバータ回路３６、ＤＣ／ＡＣインバータ
回路３７、及び連系リレーＲＬＹは、制御回路の一部を含む第１制御回路基板１４、第２
制御回路基板１５からの信号によって制御されている。制御回路３５による具体的な制御
は公知の方式を用いることができるので、その詳細な説明は省略する。
【００３５】
電力変換装置１は、第１制御回路基板１４や第２制御回路基板１５を含む制御回路と、
メイン基板２０やサブ基板２６等を含む電力変換部とを接続するケーブル８０を備えてい
る。そして、第１制御回路基板１４や第２制御回路基板１５からの制御信号がケーブル８
０を介してメイン基板２０等に伝わり、電力変換装置１のスイッチング素子の制御が行わ
れ直流電力から交流電力への変換がおこなわれる。また、この際に、メイン基板２０等か
ら入出力電圧・電流を検出し、ケーブル８０を介してこの情報が第１制御回路基板１４等
へと送られて電力変換部の制御に利用される。
【００３６】
つぎに、本実施形態の電力変換装置１におけるこの第１制御回路基板等とメイン基板２
０等との間に接続されるケーブル８０の引き回しについて図面を用いて説明する。図５は
、図１に示した電力変換装置１から表面パネル２を外した状態の外観斜視図である。また
、図６は、図５に示した電力変換装置１から更に前面シールドカバーを外した状態の外観
斜視図である。また、図７は、図６に示した電力変換装置１の平面図である。
【００３７】
先にも述べたように、第１制御回路基板１４と第２制御回路基板１５は、回路基板取付
用シャーシ１６上に配置されている。この回路基板取付用シャーシ１６は、一枚の板金か
らできており、折り曲げ加工等によって段部１１６を設けることで、第１の取付面１６ａ
（第１板材部）と、第１の取付面１６ａに対して電力変換部側に低くなるように第１の取
付面１６ａと段差状をなす第２の取付面１６ｂ（第２板材部）とを有する。
【００３８】
この第１の取付面１６ａは、前面カバー２側に近く（高く）なっている領域であり、第
１制御回路基板１４が配置されている。そして取付面１６ａの左右の端部（右側面パネル
７と左側面パネル８側の端部）には、それぞれ側壁１６ｃ、１６ｄが形成されており、こ
の側壁１６ｃ、１６ｄには前面シールドカバー１２をネジ止め等により取り付けることが
できるようになっている。
【００３９】
また、第２の取付面１６ｂは、電力変換部を構成する部品の多くが固定されている背面
パネル３側（電力変換部側）に突出し、かつ近く（低く）なっている領域であり、第２制
御回路基板が配置されている。そして、第２の取付面１６ｂの左右の端部（右側面パネル
７と左側面パネル８側の端部）は、それぞれ開口している。つまり、回路基板取付用シャ
ーシ１６には、段部１１６（第１板材部と第２板材部との段差）によって形成された開口
領域Ａ、開口領域Ｂが備わっている。
【００４０】
第１制御回路基板１４から伸びる複数のケーブル８０や、第２制御回路基板１５から伸
びる複数のケーブル８０が、第1の取付面１６ａから電力変換部側へ突出した第２の取付
面をの部分及び開口領域Ａや開口領域Ｂを介して引き回され、メイン基板２０等へと接続
される。
【００４１】
この時、ケーブル８０は、開口領域Ａや開口領域Ｂを通過するため、上方（前面）に位
置する前面シールドカバー１２との間に十分な間隔が確保されている。したがって、実施
形態１の電力変換装置１では、取付面１６ａから側壁１６ｃ、１６ｄの上を介してケーブ
ルを引き回す場合のように、前面シールドカバー１２との間にケーブルが挟まれることに
よる損傷は生じ難くなる。また、回路基板取付シャーシ１６と、前面シールドカバー１２
とで形成される領域は、回路基板取付シャーシ１６に切り欠き等がなくメイン基板２０の
電力変換部からの熱を遮断する作用が減ることはない。また回路基板取付シャーシ１６と
スイッチ素子モジュール２４とが共通の接地電位につながっており、かつ回路基板取付シ
ャーシ１６の面積が切り欠き等で減少しておらず電力変換部からのノイズを減少させる作
用が減ることもない。
【００４２】
すなわち、開口領域Ａや開口領域Ｂは、回路基板取付シャーシ１６に設けた段部１１６
によって形成されたものなので、ケーブル８０を引き回すために、第２の取付面１６ｂの
平坦部分を切欠いたりする必要がない。
【００４３】
また、本実施形態のような段差状の回路基板取付シャーシ１６を用いると、第１の取付
面１６ａは、上方（前方）に配置される前面シールドカバー１２との空間が狭くなり、第
２の取付面１６ｂは、前面シールドカバー１２との空間が広くなる。本実施形態において
は、この空間を有効利用するために、上部の空間の広い第２制御回路基板１５側には、大
きなトランスやコイルやコンデンサ等の大型の電子部品を中心に実装が行われている。ま
た、上部の空間の狭い第１制御回路基板１４側には、ＩＣ等の小型の電子部品を中心にし
て実装が行われている。
【００４４】
また、本実施形態においては、第１制御回路基板１４上に実装された複数のコネクタ８
１の多くが段部１１６側（第２の取付面１６ｂ側）の端部に設けられている。このコネク
タ８１は、ケーブル８０が実際に接続される部品である。このようにコネクタ８１が段部
１１６側の端部に実装されることによって、開口領域Ａ、Ｂを利用したケーブル８０の引
き回しを容易に行うことができる。つまり、第１制御回路基板１４と側壁１６ｃ或いは側
壁１６ｄとの間でケーブル８０を引き回したりすることなく、コネクタ８１から第２の取
付面１６ｂの上方の空間を介して開口領域Ａ或いは開口領域Ｂへケーブル８０を引き回す
ことができる。これにより、第１制御回路基板１４と側壁１６ｃ或いは側壁１６ｄとの間
でケーブル８０を引き回した際に前面シールドカバー１２と回路基板取付用シャーシ１６
の側壁とでケーブル８０を挟み破損や断線してしまう事態を防止することができる。また
、これにより、第１制御回路基板１４と側壁１６ｃ、１６ｄとの間を狭くすることもでき
る。
【００４５】
また、第１制御回路基板１４上のコネクタ８１が段部１１６側（第２の取付面１６ｂ側
）の端部に実装されるので、第１制御回路基板１４から直ちに第２の取付面１６ｂの上方
の空間へケーブル８０を引き回すことができる。これにより、ケーブル８０が第１制御回
路基板１４上に位置することがなくなるので、ケーブル８０と第１制御回路基板１４とが
接触することによる電子部品の破損等も生じない。
【００４６】
なお、図７等では全てのコネクタ８１を図示しているわけではなく、一部のコネクタ８
１を図示しているだけであるが、第１制御回路基板１４の段部１１６側の端部に全てコネ
クタ８１を実装できない場合には、コネクタ８１の一部を第１制御回路基板１４上のその
他の領域に設けておいてもよい。
【００４７】
例えば、通信モジュール７０は、電力変換装置１に常に備わっているものではなく、表
示ユニットの利用の有無によって取り付けられることも多い。つまり、通信モジュール７
０はオプション部品ということもある。
【００４８】
また、本実施形態においては、制御回路基板について第１制御回路基板１４と第２制御
回路基板１５からなる二つの基板を用いたが、第１制御回路基板１４側に全ての電子部品
が実装できるなら、必ずしも二つの制御回路基板を用いる必要はなく、一つの制御回路基
板を用いても構わない。
また、他の実施形態としては、直流電力は電力系統の交流電力を整流した電力を用いる
ことができ、この場合の電力変換部の出力は、この出力の周波数を制御すれば誘導電動機
の駆動に用いるのが適しており、この出力で回転子の回転位置（電気角）に応じて出力を
切り替えるような交流出力であればブラシレスモータ（同期電動機）の駆動に用いるのが
適している。このように直流電力を交流電力に変換する電気機器において広く適用が可能
である。
【符号の説明】
【００４９】
１…電力変換装置  ２…表面パネル  ３…背面パネル  ３ａ…切り欠き  ４…上面パネル
４ａ…通気孔  ５…下面主パネル  ５ａ…通気孔  ５ｂ…通気スリット  ６…下面補助
パネル  ７…右側面パネル  ７ａ…電源スイッチ  ７ｂ…ＡＣコンセント  ８…左側面パ
ネル  ９…表示部  １０…開口  １１…各種設定スイッチ  １２…前面シールドカバー  
１３…絶縁シート  １４…第１制御回路基板  １５…第２制御回路基板  １６…回路基板
取付用シャーシ（板部材）  １６ａ、１６ｂ…取付面  １６ｃ、１６ｄ…側壁  １１６…
段部  １７…端子台  １７ａ、１７ｂ…直流入力端子  １７ｃ、１７ｄ…交流出力端子  
１８…端子台保持板  １９ａ、１９ｂ…リード線  ２０…メイン基板  ２０ａ、２０ｂ…
端子  ２０ｃ…開口  ２１…ヒートシンク  ２１ａ…フィン  ２３、２３ａ…導電性サポ
ート  ２４…スイッチ素子モジュール  ２５…スイッチ素子固定用ホルダ  ２６…サブ基
板  ３０…太陽電池モジュール  ３１、３２…直流パワーライン  ３６…ＤＣ／ＤＣコン
バータ回路  ３７…ＤＣ／ＡＣインバータ回路  ４２ａ、４２ｂ…リード線  ４３、４４
…交流パワーライン  ＤＣＬ…直流用リアクトル  ＡＣＬ…交流用リアクトル  ＣＯＮ…
平滑コンデンサ  ＲＬＹ１〜ＲＬＹ４…連系リレー  ６０…直流開閉器  ７０…通信モジ
ュール  ７３、８０…ケーブル  ８１…コネクタ
【図１】
2014072926.tif 000003
【図２】
2014072926.tif 000004
【図３】
2014072926.tif 000005
【図４】
2014072926.tif 000006
【図５】
2014072926.tif 000007
【図６】
2014072926.tif 000008
【図７】
2014072926.tif 000009